(57)【要約】【課題】      浮子に容易に装着できる浮子用緩衝部材を提供することである。【解決手段】  浮子用緩衝部材１は、可撓性、伸縮性を有し、ゴム弾性を有するゴム、合成樹脂材料で管状に形成された軸部１ａとその両端側に周方向に突出した抜け止め部１ｂ、１ｃが形成され、下端側の抜け止め部１ｃの更に下方に向けて軸部１ａが延長されて軸部の延長部１ｄが形成されている。  この浮子用緩衝部材１はその軸部１ａ、１ｄの内部に長手方向に沿って釣り糸２を挿通する挿通孔１ｅが形成され、浮子用緩衝部材１の上端と下端に開口ａ、ｂが形成されて上端側の抜け止め部１ｂは鍔状に形成され周方向に大きく突出してカバ−体Ａを形成し、下端側の抜け止め部１ｃは上端側の抜け止め部１ｂより突出が小さく形成されて軸部の延長部１ｄは先細り状になるように周囲がテ−パ−状に形成されている。【選択図】        図５
2010035443.tif 000002
【特許請求の範囲】
【請求項１】
伸縮性を有する材料で形成された管状の軸部の両端側に抜け止め部を設けると共に、前記軸部は少なくとも一端側が前記抜け止め部より外側に延長されていることを特徴とする浮子用緩衝部材。
【請求項２】
抜け止め部より外側に延長した軸部は、先細り状に形成されていることを特徴とする請求項１に記載の浮子用緩衝部材。
【請求項３】
軸部の両端側に設けた抜け止め部の何れか一方は浮子の表面を覆うためのカバ−体を形成していることを特徴とする請求項１または２に記載の浮子用緩衝部材。
【発明の詳細な説明】
【技術分野】
【０００１】
本発明は、釣りで使用する浮子に容易に装着できる浮子用緩衝部材に関する。
【背景技術】
【０００２】
従来から浮子の損傷を防止するために特許文献１のように、上下に緩衝材が具備された中通し浮子用の緩衝具が使用されており、中通し浮子の軸方向に設けられた糸通し孔に挿通して装着して使用されていた。
特許文献１には、可撓性を有する緩衝部材で形成し、中通し浮子に差し込む管状の軸部とその両端に係止部を形成した浮子用緩衝部材が紹介されている。
しかし、この浮子用緩衝部材は、軸部の両端が係止部となっているため中通し浮子の糸通し孔の一方から差し込んで他方側に突出させるときに長さが足りないと抜き通すことができないという欠点があった。
【特許文献１】登録実用新案第３０２９３２５号公報
【発明の開示】
【発明が解決しようとする課題】
【０００３】
解決しようとする問題点は、従来浮子用緩衝部材は、軸部の両端が係止部となっているため中通し浮子の糸通し孔に対し長さが足りないと抜き通すことができず装着できないことである。
【０００４】
本発明の目的は前記欠点に鑑み、浮子に容易に装着できる浮子用緩衝部材を提供することである。
【課題を解決するための手段】
【０００５】
本発明の請求項１は、伸縮性を有する材料で形成された管状の軸部の両端側に抜け止め部を設けると共に、前記軸部は少なくとも一端側が前記抜け止め部より外側に延長されていることを要旨とするものである。
本発明の請求項２は、抜け止め部より外側に延長した軸部は、先細り状に形成されていることを要旨とするものである。
本発明の請求項３は、軸部の両端側に設けた抜け止め部の何れか一方は浮子の表面を覆うためのカバ−体を形成していることを要旨とするものである。
【発明の効果】
【０００６】
本発明の請求項により、延長した軸部が抜け止め部より外側に延長されていることで浮子用緩衝部材が浮子に容易に装着できる。
延長した軸部は、先細り状に形成されているため浮子の糸通し孔に挿通しやすい。
傘状に広がって突出したカバ−体からなる抜け止め部によって浮子を広く覆って浮子の破損が十分に防止される。
【発明を実施するための最良の形態】
【０００７】
浮子用緩衝部材１は、可撓性、伸縮性を有し、ゴム弾性を有するゴム、合成樹脂材料で管状に形成されている。
浮子用緩衝部材１は、管状に形成された軸部１ａとその両端側に周方向に突出した突部からなる抜け止め部１ｂ、１ｃが形成されている。
これら突部のうち、下端側の突部からなる抜け止め部１ｃの更に下方に向けて軸部１ａが延長されて設けられ、軸部の延長部１ｄが形成されている。
この浮子用緩衝部材１はその軸部１ａ、１ｄの内部に長手方向に沿って釣り糸２を挿通する挿通孔１ｅが形成され、浮子用緩衝部材１の上端と下端に開口ａ、ｂが形成されている。
上端側の抜け止め部１ｂは鍔状に形成され周方向に大きく突出してカバ−体Ａを形成している。
また、下端側の抜け止め部１ｃは上端側の抜け止め部１ｂより突出が小さく形成されている。
軸部の延長部１ｄは、略軸部１ａと同じ長さを有し、下端側の抜け止め部１ｃから更に下方へ軸状に突出し、その下端側ｃ（先端側）に向けて先細り状になるように周囲がテ−パ−状に形成されている。
【実施例１】
【０００８】
以下、図示の実施例によって本発明を説明すると、図１から図５は第１実施例で図１は浮子用緩衝部材の正面図、図２は浮子用緩衝部材と浮子の断面正面図、図３は浮子用緩衝部材の下端延長部に浮子が挿通された断面正面図、図４は浮子用緩衝部材の所定位置に浮子が挿通された断面正面図、図５は浮子が挿通された後に浮子用緩衝部材の下端延長部が切断された断面正面図である。
【０００９】
浮子用緩衝部材１は、可撓性、伸縮性を有し、ゴム弾性を有するゴムまたは合成樹脂等材料で管状に形成されている。
浮子用緩衝部材１は、管状に形成された軸部１ａとその両端側に軸部１ａの周方向に突出した突部からなる抜け止め部１ｂ、１ｃが形成されている。
さらに、これら突部のうち、下端側の突部からなる抜け止め部１ｃの更に外側の下方に向けて軸部１ａのその長手方向に延長されて設けられた軸部の延長部１ｄが形成されている。
この浮子用緩衝部材１はその軸部１ａ、延長部１ｄの内部に長手方向に沿って釣り糸２を挿通する挿通孔１ｅが形成され、浮子用緩衝部材１の上端と下端に開口ａ、ｂが形成されている。
上端側の抜け止め部１ｂは鍔状に形成され周方向に大きく突出してカバ−体Ａを形成している。
また、下端側の抜け止め部１ｃは上端側の抜け止め部１ｂより突出が小さく形成されている。
軸部の延長部１ｄは、略軸部１ａと同じ長さを有し、下端側の抜け止め部１ｃから更に下方へ軸状に突出し、その下端側ｃ（先端側）に向けて先細り状になるように周囲がテ−パ−状に形成されている。
【００１０】
この浮子用緩衝部材１を使用するときは、中通し浮子３の糸通し孔３ａの開口ｄに軸部の延長部１ｄの先細り状の先端側ｃから挿通し、糸通し孔３ａの下端側の開口ｅから軸部の延長部１ｄの先端部ｃを突出させる。
この時、軸部の延長部１ｄが先細り状のため浮子３の糸通し孔３ａに容易に挿通することができる。
次に、図３のように、浮子３の糸通し孔３ａの下端側の開口ｅから突出した軸部の延長部１ｄの先端部ｃを摘んで下方に引いて、浮子用緩衝部材１の軸部１ａを図４のように浮子３の糸通し孔３ａに挿通する。
この時、浮子３の上端ｆに浮子用緩衝部材１の上端側の抜け止め部１ｂが当接し、そのまま浮子用緩衝部材１の伸縮性によって軸部１ａを引き延ばしながら軸部１ａ下端側の抜け止め部１ｃをその伸縮性を利用して縮径状態でこの抜け止め部１ｃより小径の糸通し孔３ａを通過させて浮子３の下端側に引き抜いて浮子３の下端ｇに係止させることで、浮子用緩衝部材１が浮子３の上下で抜け止めされて保持される。
【００１１】
この状態で浮子用緩衝部材１の伸縮性で上端側と下端側の抜け止め部１ｂ、１ｃがそれぞれ浮子３の上下端ｆ、ｇの糸通し孔３ａの開口ｄ、ｅに押圧されるように付勢されるため取り付けた浮子に対しがたつきが防止され確実に装着される。
浮子用緩衝部材１がその軸部１ａを浮子３の糸通し孔３ａに挿通してとりつけられた後に、浮子３の下端側に配された抜け止め部１ｃの下端の軸部の延長部１ｄを切断して取り除く。
浮子３の上端ｆに当接した鍔状の抜け止め部１ｂは周方向に傘状に広がって突出し、抜け止め部１ｂの下側が浮子３の上端ｆに添接されるように浮子３の上端ｆ側を覆って、そのゴム弾性の可撓性、伸縮性によって浮子３を保護しぶつけた場合に傷付きを防止する。
なお、鍔状の抜け止め部を両端側に設けても良い。
浮子３に取り付けた浮子用緩衝部材１の挿通孔１ｅに釣り糸２を挿通して仕掛けに取り付ける。
【００１２】
浮子用緩衝部材１が、可撓性、伸縮性を有し、ゴム弾性を有するゴム、合成樹脂材料で形成されていることから挿通した釣り糸２に対し浮子３が移動しにくくなり、また、浮子３の両端ｆ、ｇ（上端と下端）にその上下方向に突出する抜け止め部が浮子３が他物に衝突した時の緩衝部として作用し、浮子の破損が防止される。
【００１３】
前記のように浮子用緩衝部材が構成されると、延長した軸部１ｄが抜け止め部１ｃより外側に延長されていることで浮子用緩衝部材１が浮子３に容易に装着できる。
延長した軸部１ｄは、先細り状に形成されているため浮子３の糸通し孔３ａに挿通しやすい。
傘状に広がって突出したカバ−体Ａからなる抜け止め部１ｂによって浮子３を広く覆って浮子３の破損が十分に防止される。
【実施例２】
【００１４】
図６は第２実施例で、図６は浮子用緩衝部材の断面正面図である。
【００１５】
第２実施例で浮子用緩衝部材１は、抜け止め部１ｂ、１ｃの両端（上方と下方の両方の外側）に軸部の延長部１ｄ、１ｆが設けられている。
他の構成は前記第１実施例と略同一である。
【産業上の利用可能性】
【００１６】
本発明は浮子用緩衝部材全般に利用できる。
【図面の簡単な説明】
【００１７】
【図１】第１実施例で浮子用緩衝部材の正面図である。
【図２】同浮子用緩衝部材と浮子の断面正面図である。
【図３】同浮子用緩衝部材の下端延長部に浮子が挿通された断面正面図である。
【図４】同浮子用緩衝部材の所定位置に浮子が挿通された断面正面図である。
【図５】同浮子が挿通された後に浮子用緩衝部材の下端延長部が切断された断面正面図である。
【図６】第２実施例で浮子用緩衝部材の断面正面図である。
【符号の説明】
【００１８】
１  浮子用緩衝部材
１ａ  軸部
１ｂ、１ｃ  抜け止め部
１ｄ、１ｆ  軸部の延長部
３  浮子
Ａ  カバ−体
【図１】
2010035443.tif 000003
【図２】
2010035443.tif 000004
【図３】
2010035443.tif 000005
【図４】
2010035443.tif 000006
【図５】
2010035443.tif 000007
【図６】
2010035443.tif 000008